(57)【要約】【課題】土石流発生時の巨礫や流木の衝突によりダム本体が受ける衝突エネルギーを緩衝桁により緩衝することによって、ダム本体が受ける外力を軽減でき、且つ、損傷した緩衝桁を容易に交換することができ、さらに、ダム本体を、予め工場で製作した、例えば、波形鋼板製外枠内にコンクリートを充填したものにより構成することによって、現地作業性を向上させることができる。【解決手段】袖２間のコンクリート基礎３上に構築されたダム本体１と、ダム本体１の上流側に取り付けられた、土石流発生時の巨礫や流木の衝突エネルギーを吸収するための緩衝桁１０とを備えた透過型砂防ダムにおいて、ダム本体１は、袖２間方向に間隔をあけて垂直に構築され、横梁５によって連結された複数本の受梁４からなり、受梁４の各々は、波形鋼板製外枠７内にコンクリート８を充填したものからなり、緩衝桁１０は、鋼管からなっている。【選択図】　図１
2004060388.tif 000002
【特許請求の範囲】
【請求項１】
袖間の基礎上に構築されたダム本体と、前記ダム本体の上流側に取り付けられた、土石流発生時の巨礫や流木の衝突エネルギーを吸収するための緩衝桁とを備えた透過型砂防ダムにおいて、
前記ダム本体は、前記袖間方向に間隔をあけて垂直に構築された複数本の受梁を備え、前記受梁の各々は、外枠内にコンクリートを充填したものからなり、前記緩衝桁は、鋼管からなることを特徴とする透過型砂防ダム。
【請求項２】
前記外枠は、波形鋼板、間伐材または化粧型枠からなっていることを特徴とする、請求項１記載の透過型砂防ダム。
【請求項３】
前記緩衝桁は、前記ダム本体に対して着脱自在に取り付けられていることを特徴とする、請求項１または２記載の透過型砂防ダム。
【請求項４】
前記受梁の上部間は、横梁によって連結されていることを特徴とする、請求項１から３の何れか１つに記載の透過型砂防ダム。
【発明の詳細な説明】
【０００１】
【発明の属する技術分野】
この発明は、透過型砂防ダム、特に、土石流発生時の巨礫や流木の衝突によりダム本体が受ける衝突エネルギーを緩衝桁により緩衝することによって、ダム本体が受ける外力を軽減でき、且つ、損傷した緩衝桁を容易に交換することができ、さらに、ダム本体を、予め工場で製作した外枠内にコンクリートを充填したものにより構成することによって、現地作業性を向上させることができる透過型砂防ダムに関するものである。
【０００２】
【従来の技術】
透過型砂防ダムは、大洪水と土石流および流木を阻止し、平常時および中小洪水時には土砂を下流側に流下させて、計画的にダムの空容量を確保し、且つ、自然の摂理に合致する等、土砂を流下させない不透過型ダムにはない種々の利点を有している。
【０００３】
従来、透過型砂防ダムの１つである鋼製スリット型砂防ダムとしては、図７に示すように、何れも鋼管からなるメインフレーム２２とストラット２３とをＡ字状に組んでコンクリート基礎２１上に構築し、これらの部材２２、２３内にコンクリートを充填したもの、あるいは、図８に示すように、何れも鋼管からなる柱材２４、梁材２５を立体的にコンクリート基礎２１上に構築したものなどがある。
【０００４】
何れのスリット型砂防ダムにおいても、平常時の流出土砂は透過し、土石流発生時には、巨礫および流木を捕捉する機能を有している。
【０００５】
【発明が解決しようとする課題】
しかしながら、上記従来のスリット型砂防ダムは、以下のような問題があった。
【０００６】
（１）土石流発生時の巨礫や流木の衝突によるダム本体を構成する鋼管製部材の塑性変形により、砂防ダムとしての機能が低下したような場合には、損傷部分を新たな部材と交換するか、損傷部分を補強する必要があった。しかしながら、この作業には、多大な困難と費用を要する。
【０００７】
（２）多数本の鋼管製部材を一本一本ボルト止めする必要があるので、現地作業性が悪い。
【０００８】
従って、この発明の目的は、土石流発生時の巨礫や流木の衝突によりダム本体が受ける衝突エネルギーを緩衝桁により緩衝することによって、ダム本体が受ける外力を軽減でき、且つ、損傷した緩衝桁を容易に交換することができ、さらに、ダム本体を、予め工場側で製作した枠内にコンクリートを充填したものにより構成することによって、現地作業性を向上させることができる透過型砂防ダムを提供することにある。
【０００９】
【課題を解決するための手段】
請求項１記載の発明は、ダム本体と、前記ダム本体の上流側に取り付けられた、土石流発生時の巨礫および流木の衝突エネルギーを吸収するための緩衝桁とを備えた透過型砂防ダムにおいて、前記ダム本体は、基礎上に構築された複数本の受梁を備え、前記受梁の各々は、配筋を施した外枠内にコンクリートを充填したものからなることに特徴を有するものである。
【００１０】
請求項２記載の発明は、前記外枠は、波形鋼板、間伐材または化粧型枠からなっていることに特徴を有するものである。
【００１１】
請求項３記載の発明は、前記緩衝桁は、前記ダム本体に対して着脱自在に取り付けられていることに特徴を有するものである。
【００１２】
請求項４記載の発明は、前記受梁の上部間は、横梁によって連結されていることに特徴を有するものである。
【００１３】
【発明の実施の形態】
次に、この発明の透過型砂防ダムの一実施態様を、図面を参照しながら説明する。
【００１４】
図１は、この発明の透過型砂防ダムを示す斜視図、図２は、この発明の透過型砂防ダムを示す平面図である。
【００１５】
図１および図２において、１は、袖２間のコンクリート基礎３上に構築されたダム本体である。ダム本体１は、コンクリート基礎３上に袖２間方向に純間隔（Ｌ）をあけて垂直に構築された複数本（この例では３本）の受梁４と受梁４の上部間を連結する流木止め用の鋼管製横梁５とからなっている。純間隔（Ｌ）は、土石流区間では、設計最大礫径の１．５倍以下で、且つ、最大流木長さの約１／２以下とし、掃流区間では、最大流木長さの１／２以下とし、この範囲で設計最大礫径の２．０以上とすることによって、十分な機能が発揮される。
【００１６】
受梁４は、配筋６が施された波形鋼板からなる外枠７内にコンクリート８を充填したものからなっている。受梁４は、後述する緩衝桁にかかる衝撃力を受ける作用をする。配筋６が施された受梁４は、工場で予め製作することができるので、ダム構築現場では、コンクリート基礎３上への外枠７の固定と外枠７内へのコンクリート８の充填とを行うだけで良い。従って、膨大な個所のボルト止めが必要な鋼管部材による従来ダムに比べてダムの構築期間が大幅に短縮される。しかも、受梁４をコンクリートのみによって構築する場合に比べて耐摩耗性に富み、且つ、型枠工が不要になるので、施工性が向上する。
【００１７】
受梁４の外枠７としては、上述の波形鋼板以外に、図３に示すように、間伐材をアングル９によって壁状に連結したものであっても良い。間伐材は、図４に示すように、半割りにしたものであっても良い。さらに、外枠７としては、図５に示すように、古紙１００％をボード状に固め、表面を例えば岩肌状に成形したものをアングル９に固定したものからなる化粧型枠であっても良い。外枠７を間伐材により製作することによって、間伐材の有効利用が図れると共に自然景観とマッチさせることができる。外枠７を化粧型枠とする場合にも、自然景観とマッチさせることができる。外枠７を間伐材あるいは化粧型枠とする場合にも、外枠７を予め工場で作製することが可能である。
【００１８】
受梁４の高さが高い場合には、図６に示すように、その上部下流側を傾斜させてもよい。これは、外枠７として間伐材や化粧型枠を使用した場合も同様である。
【００１９】
１０は、ダム本体の上流側、すなわち、受梁４の上流側にブラケット１１を介して着脱自在に取り付けられた緩衝桁であり、土石流発生時の巨礫や流木の衝突エネルギーを吸収する作用を有する。緩衝桁１０は、着脱自在に受梁４に取り付けられているので、礫の衝突により凹んで変形した場合には、容易に新しいものと交換することができる。緩衝桁１０を複数に分割すれば、一箇所の凹みにより１本の緩衝桁１０全体を交換する必要性がなくなるので経済的となる。また、緩衝桁１０の両端にボルトを挿通して変形を拘束すれば、緩衝桁１０の緩衝効果がより高まる。緩衝桁１０と外枠７とを工場で予め固定しておけば、現地作業性がより向上する。
【００２０】
この発明の透過型砂防ダムは、上述のように構成されているので、以下のようにして構築される。
【００２１】
予め工場において、波形鋼板、間伐材あるいは化粧型枠によって受梁４の外枠７を製作すると共に受梁４内に配筋６を施す。次いで、外枠７に緩衝桁１０をブラケット１１を介して固定する。次いで、ダム施工現場まで、外枠７と緩衝桁１０とを一体化したものを運搬し、袖２間の所定位置のコンクリート基礎３上に間隔をあけて垂直に固定する。次いで、横梁５を外枠７の上部間に上部から嵌め込む。そして、コンクリート８を外枠７内に充填し、固化させる。このようにして、透過型砂防ダムが構築される。
【００２２】
土石流発生時の巨礫や流木の衝突によりダム本体１が受ける衝突エネルギーは、緩衝桁１０により吸収される。従って、ダム本体１が受ける外力を軽減できる。巨礫や流木の衝突により損傷した緩衝桁１０は、これがダム本体１に対してブラケット１１を介して着脱自在に取り付けられているので、容易に交換することができる。さらに、ダム本体１は、予め工場側で製作した、波形鋼板、間伐材あるいは化粧型からなる外枠７内にコンクリート８を充填したものにより構成されているので、現地作業性が大幅に向上する。
【００２３】
【発明の効果】
以上説明したように、この発明によれば、土石流発生時の巨礫や流木の衝突によりダム本体が受ける衝突エネルギーを緩衝桁により緩衝することによって、ダム本体が受ける外力を軽減でき、且つ、損傷した緩衝桁を容易に交換することができ、さらに、ダム本体を、予め工場側で製作した、波形鋼板、間伐材あるいは化粧型枠からなる外枠内にコンクリートを充填したものにより構成することによって、現地作業性を向上させることができるといった有用な効果がもたらされる。
【図面の簡単な説明】
【図１】この発明の透過型砂防ダムを示す斜視図である。
【図２】この発明の透過型砂防ダムを示す平面図である。
【図３】間伐材を外枠としたこの発明の透過型砂防ダムを示す平面図である。
【図４】半割りの間伐材を外枠としたこの発明の透過型砂防ダムを示す平面図である。
【図５】化粧型枠を外枠としたこの発明の透過型砂防ダムを示す平面図である。
【図６】外枠を斜めに切り欠いたこの発明の透過型砂防ダムを示す側面図である。
【図７】従来の鋼製スリット型砂防ダムを示す側面図である。
【図８】従来の別の鋼製スリット型砂防ダムを示す側面図である。
【符号の説明】
１：ダム本体
２：袖
３：コンクリート基礎
４：受梁
５：横梁
６：配筋
７：外枠
８：コンクリート
９：アングル
１０：緩衝桁
１１：ブラケット
２１：コンクリート基礎
２２：メインフレーム
２３：ストラット
２４：柱材
２５：梁材
【図１】
2004060388.tif 000003
【図２】
2004060388.tif 000004
【図３】
2004060388.tif 000005
【図４】
2004060388.tif 000006
【図５】
2004060388.tif 000007
【図６】
2004060388.tif 000008
【図７】
2004060388.tif 000009
【図８】
2004060388.tif 000010